(57)【特許請求の範囲】
【請求項１】
ハンドルの巻取り操作で連動回転するロータの釣糸案内部を介して釣糸が巻回されると共に、リール本体に支持されたスプール軸に装着されるスプールと、前記スプール軸の先端側に設けられた押しボタンを押圧することで前記スプール軸に対するスプールの係止状態を解除してスプール軸からスプールを取外し可能にするスプール着脱装置とを有する魚釣用スピニングリールにおいて、
前記スプールの制動力を調節する制動力調節部材に前記押しボタンを覆うように取り付けられると共に、前記スプール内側から係止部材で抜け止め係止される弾性変形可能なシール部材を備えており、
前記シール部材は、前記制動力調節部材の中央に形成した貫通孔の内周面をシールして、該貫通孔内に位置する前記押しボタンをカバーする押圧部と、この押圧部に一体形成され、前記制動力調節部材の裏面側に前記係止部材によって係止される係止部と、を有していることを特徴とする魚釣用スピニングリール。
【発明の詳細な説明】
【技術分野】
【０００１】
本発明は、ハンドルに連動回転するロータの釣糸案内部を介してスプールに釣糸を巻回する魚釣用スピニングリールに関する。
【背景技術】
【０００２】
従来、釣糸が巻回されるスプールを、スプール軸から指のワンタッチ押圧操作で脱外するスプール着脱装置を備えた魚釣用スピニングリールが知られている。一般的に、従来のスプール着脱装置は、スプール軸にスプールが回り止め固定され、スプールに装着される着脱装置の押しボタンを押圧操作することでスプール軸からスプールを脱外するよう構成されている（例えば、特許文献１及び特許文献２参照）。この内、特許文献２に開示されている構成は、押しボタンが、スプールの前部フランジの環状円周部に装着された円形状の弾性部材によってカバーされており、カバー部分を押圧することで押しボタンが押圧されてスプールが脱外されるようになっている。
【０００３】
又、スプール軸に回転自在に支持されたスプールの前部にドラグ装置を設け、スプール軸の前部に螺合されたドラグツマミの回転操作でスプール制動力を調節可能とし、スプール軸（スプール軸に着脱可能に装着固定される筒軸を含む）とドラグツマミとの間に装着されるスプール着脱装置の押しボタンを押圧操作してスプール軸からスプールを脱外する構成も知られている（例えば、特許文献３参照）。
【特許文献１】実開昭６０−１１６８６８号公報（第１図）
【特許文献２】特開昭６１−１０４７３４号公報（第４頁、第３図）
【特許文献３】実開昭５７−１２５２７０号公報（第１図）
【発明の開示】
【発明が解決しようとする課題】
【０００４】
通常、魚釣用スピニングリールは、使用環境の厳しい場所で使用されるため、実釣時に、上記した押しボタンの内部に海水、異物等が付着、侵入し易いという問題がある。そのため、上記した特許文献１及び特許文献３に開示されている構成では、押しボタンの作動に支障をきたしたり、腐食してスプールが着脱できなくなったり、スプール着脱装置の構成部品が腐食により固着してしまい、強度低下で損傷してしまうことがある。
【０００５】
これに対し、上記した特許文献２に開示されている構成によれば、押しボタンが弾性部材によってカバーされていることから、上記したような不具合を解消することはできるものの、実用中、或いは移動中に、手の指や他物が弾性部材に触れ易く、誤ってスプールを脱外してしまう可能性がある。また、カバー部材となる弾性部材をスプールの前部フランジに取り付けることが難しく、取り付け強度の面でも安定しないという問題がある。
【０００６】
本発明は、上述した問題に基づいて成されたものであり、シール部材によってスプール着脱装置への海水、異物等の浸入を確実に防止すると共に、前記シール部材を安定して装着できるスプール着脱装置を備えた魚釣用スピニングリールを提供することを目的とする。
【課題を解決するための手段】
【０００７】
上記した目的を達成するために、本発明に係る魚釣用スピニングリールは、ハンドルの巻取り操作で連動回転するロータの釣糸案内部を介して釣糸が巻回されると共に、リール本体に支持されたスプール軸に装着されるスプールと、前記スプール軸の先端側に設けられた押しボタンを押圧することで前記スプール軸に対するスプールの係止状態を解除してスプール軸からスプールを取外し可能にするスプール着脱装置とを有しており、前記スプールの制動力を調節する制動力調節部材に前記押しボタンを覆うように取り付けられると共に、前記スプール内側から係止部材で抜け止め係止される弾性変形可能なシール部材を備えており、前記シール部材は、前記制動力調節部材の中央に形成した貫通孔の内周面をシールして、該貫通孔内に位置する前記押しボタンをカバーする押圧部と、この押圧部に一体形成され、前記制動力調節部材の裏面側に前記係止部材によって係止される係止部と、を有していることを特徴とする。
【０００８】
上記した構成では、スプール着脱装置の押しボタンを覆う弾性変形可能なシール部材が、スプール内側から係止部材によって抜け止め係止されていることから、シール部材の安定した取り付け強度が確保できると共に、押圧操作される押しボタンがシールされることから、スプール着脱装置への海水、異物等の侵入が確実に防止される。特に、前記制動力調節部材の中央に形成した貫通孔の内周面もシールされることから、スプール着脱装置への海水、異物等の侵入がより確実に防止される。
【発明の効果】
【０００９】
本発明によれば、シール部材によってスプール着脱装置への海水、異物等の浸入を確実に防止できると共に、シール部材を安定して装着できるスプール着脱装置を備えた魚釣用スピニングリールが得られる。
【発明を実施するための最良の形態】
【００１０】
以下、本発明の実施形態について図面を参照しながら説明する。
図１は、本発明に係る魚釣用スピニングリールの一実施形態を示す図である。最初に本実施形態に係る魚釣用スピニングリールの全体的な構成を説明する。
【００１１】
スピニングリールのリール本体１には、釣竿に装着されるリール脚１ａが一体形成されており、その前方には、回転可能に支持され、釣糸案内部２ａを有するロータ２と、ロータ２の回転運動と同期して前後動可能に支持されたスプール３が配設されている。
【００１２】
リール本体１には、ハンドル軸５の突出端に回転操作可能なハンドル（図示せず）が装着されており、このハンドルを巻取り操作することで、駆動力伝達機構７を介して、前記ロータ２が回転駆動されると共に、スプール軸４に装着された前記スプール３が前後に往復駆動される。これにより、釣糸は、釣糸案内部２ａを介して往復動するスプール３に均等に巻回される。
【００１３】
また、本実施形態のスピニングリールは、リール脚１ａの中間部分に操作レバー８が回動可能に支持されており、この操作レバー８を牽引操作することで、ロータブレーキ機構９を介して、前記ロータ２の回転に制動力を付与することができるように構成されている。
【００１４】
なお、上記した駆動力伝達機構７、及びロータブレーキ機構９については、公知の構成であるため、その詳細な説明については省略する。
【００１５】
前記スプール３の内部には、スプール軸４の先端部において、スプール３を着脱可能に装着させるスプール着脱装置１０が配設されている。また、本実施形態では、スプール３の内部にドラグ装置（制動力調節装置）５０を配設しており、スプール３の回転に所定の制動力が付与可能に構成されている。このため、スプール３の軸芯部分には、スプール軸４の先端部側から挿入され、スプール軸４に回り止め固定される筒軸１１が配設されており、前記スプール着脱装置１０は、筒軸１１とスプール軸４との間で、スプール３を着脱すると共に、前記ドラグ装置５０は、筒軸１１とスプール３との間で、スプール３に対して所定の制動力を付与するよう構成されている。
【００１６】
次に、図２〜図１３を参照して、上記したスプール着脱装置１０、及びドラグ装置５０の構成について説明する。
なお、これらの図において、図２は、スプール軸とスプールの装着状態を示す図、図３は、スプールを前方から見た図、図４は、図３のＡ−Ａ線に沿った断面図であり、ドラグ装置のドラグノブユニット体を示す図、図５は、図４に示すドラグノブユニット体の分解図、図６は、図３のＢ−Ｂ線に沿った断面図であり、ドラグ装置のドラグノブユニット体を示す図、図７は、図６に示すドラグノブユニット体の分解図、そして、図８（ａ）及び（ｂ）は、押しボタンを押した際のスプール軸と筒軸との間の継脱関係を示す断面図である。
また、図９〜図１３は、シール部材の構成を示す図であり、図９は、シール部材の平面図、図１０は、図９のＣ−Ｃ線に沿った断面図、図１１は、図９のＤ−Ｄ線に沿った断面図、図１２は、シール部材の構成を示す斜視図、そして、図１３は、シール部材の一部を切り欠いた斜視図である。
【００１７】
前記スプール軸４には、先端側に円周溝４ａが形成されると共に、それより基端側に、回り止めピン４ｂが径方向に突出形成されており、このスプール軸４にスプール３に配設された筒軸１１が挿入されるようになっている。この場合、筒軸１１は、前記円周溝４ａの部分でスプール軸４に対して係止されると共に、筒軸１１の基端部に形成された溝１２に前記回り止めピン４ｂが係合することでスプール軸４に対して回り止め固定されるようになっている。
【００１８】
前記スプール着脱装置１０は、筒軸１１の先端側の開口部に配設される押しボタン１３を備えている。この押しボタン１３は、筒軸１１の開口端部から突出すると共に押圧操作される押圧操作部１３ａと、軸方向視でスプール軸４を挟むように後方側に向けて延出する半円状の係合部１３ｂとを備えており、筒軸１１の先端部内側に形成された段部１１ａとの間に配設された付勢バネ１４によって、軸方向に押圧操作可能に保持されている。
【００１９】
前記係合部１３ｂには、後方に向けて次第に縮径するようにテーパ１３ｃが形成されており、このテーパ１３ｃは、押しボタン１３が押し込み操作された際、筒軸１１に保持された係止バネ１５と係合可能となっている。この場合、係止バネ１５は、図８（ａ），（ｂ）に示すように、筒軸１１の外周部分を取り巻いた状態で周方向に摺動する円弧部１５ａと、直径方向に延出して前記円周溝４ａ内に位置する係止保持部１５ｂとを備えた一対の略Ｄ型の部材によって形成されている。
【００２０】
そして、上記した構成において、押しボタン１３を付勢バネ１４の付勢力に抗して押し込み操作すると、図２及び図８（ａ）の位置にある押しボタン１３の係合部１３ｂがリール本体側に移動し、係合部１３ｂに形成されたテーパ１３ｃが係止保持部１５ｂに当て付いて、図８（ｂ）に示すように、係止保持部１５ｂを下方に移動させる。この係止保持部１５ｂが下方に移動することで、係止バネ１５とスプール軸４の円周溝４ａとの係合関係が解除され、スプール３は筒軸１１と伴にスプール軸４から脱外することが可能となる。
【００２１】
前記ドラグ装置５０は、スプール３の前端面に突出形成された前面カラー３ａ内に配設される回転操作可能なドラグノブユニット体（制動力調節部材を構成する）５１と、このドラグノブユニット体によって押圧付勢され、スプール軸４と固定状態にある筒軸１１との間で所定のドラグ力を発揮する制動部材５２とを備えている。
【００２２】
ドラグノブノブユニット体５１は、図４〜図７に示すように、スプールの前端面において露出する部分であり、表面側に突出形成された堤状のドラグノブ５５ａと、裏面側に突出形成された円筒部５５ｂを備えた円板状の本体５５を有している。本体５５の中央には、上記した押しボタン１３の位置に対応するように貫通孔５５ｃが形成されており、この貫通孔５５ｃは、ドラグノブ５５ａの中央部分を貫通している。そして、ドラグノブ５５ａ内の貫通孔５５ｃの内周面には、後述するシール部材を係止できるように係止環状段部５５ｄが形成されており、前記円筒部５５ｂには、シール部材の連結腕部が位置できるように、略１８０°間隔でスリット５５ｅが形成されている。また、前記円筒部５５ｂの外周には、上記したスリット５５ｅと直交する位置に、一対の係合突部５５ｆが形成されている。
【００２３】
前記本体５５には、裏面側（内側）からゴム等の弾性変形可能な材料によって形成されたシール部材５７が取着されようになっている。この場合、シール部材５７は、本体５５の表面側に露出する貫通孔５５ｃの内周面をシールして、貫通孔５５ｃ内に位置する押しボタン１３を露出させないようにしている。
【００２４】
ここで、本実施形態のシール部材５７の構成を、図９〜図１３を併せて参照しながら説明する。シール部材５７は、本体５５の裏面の外周端部において、リング状の係止板（係止部材）５８によって取着されるようになっており、本体５５の裏面の外周領域に当て付く係止部（環状部）５７ａと、その中心部分において、本体５５のドラグノブ５５ａ内の貫通孔５５ｃ部分に位置するキャップ状の押圧部５７ｂとを備えている。そして、環状部５７ａと押圧部５７ｂとは、略１８０°間隔で形成された一対の連結腕部５７ｃによって連結されている。
【００２５】
このような形状のシール部材５７は、環状部５７ａが本体５５の裏面の外周端部にリング状の係止板５８によって取着されると、連結腕部５７ｃが円筒部５５ｂに形成されたスリット５５ｅ内に配置されると共に、キャップ状の押圧部５７ｂがドラグノブ５５ａの中心部分に形成された貫通孔５５ｃ内に配置された状態で本体５５に組み付けられる。このとき、キャップ状の押圧部５７ｂの下端円周縁５７ｄが、前記貫通孔５５ｃ内に形成された係止環状段部５５ｄに係止された状態となり、これによって、装着位置が安定すると共に、貫通孔５５ｃの内周面を確実にシールし、スプール着脱装置１０への海水、異物等の侵入がより確実に防止される。
【００２６】
なお、シール部材５７を本体５５の内側から係止するための係止部は、上記したような環状に形成されていなくても良い。また、上記のように、係止部を本体５５の裏面外周部分に取着されるような環状とした場合、更に、その外周に、スプール３の前面カラー３ａの内周面に所定の弾力をもって当て付くように、環状接触部５７ｅを形成しておくことが好ましい。このような環状接触部５７ｅを形成しておくことにより、前面カラー３ａとドラグノブユニット体５１との間に生じる隙間がシールされるため、ドラグ装置５０の内部への海水、異物等の侵入を防止することができる。
【００２７】
上記本体５５の円筒部５５ｂ内には、シール部材５７が取着された状態で、筒軸１１の先端部分に形成されたネジ部１１ｂと螺合するナット６０が回り止めされて配設される。この場合、ナット６０のネジ部６０ａは、円筒部５５ｂに嵌合固定される部分６０ｂから前方に突出形成されており、ドラグノブ５５ａの貫通孔内に位置するようになっている。このため、ドラグノブユニット体５１の軸方向長さを短縮化することが可能となる。
【００２８】
そして、本体５５には、ナット６０との間にドラグスプリング６２が介在された状態で有底筒体６５が取着され、これによりドラグユニット体５１が形成される。前記有底筒体６５には、本体５５の円筒部５５ｂの外周に形成された一対の係合突部５５ｆが係合固定できるように、係止窓部６５ａが形成されると共に、その係止窓部６５ａから、一部が突出するように節度用環状バネ６５ｂが配設されている。
【００２９】
前記ドラグ装置５０の制動部材５２は、前記有底筒体６５の下面と面接する皿体７０によって押圧され、固定状態にある筒軸１１と、筒軸に対して回転可能なスプール３との間で、所定のドラグ力が生じるようになっている。すなわち、ドラグノブ５５ａを回転操作することによって、ナット６０は、筒軸１１上を軸方向に移動し、ドラグスプリング６２、有底筒体６５及び皿体７０を介して、制動部材５２に対して所定の押圧力を付与し、スプール３に所望の制動力が付与される。なお、上記した節度用環状バネ６５ｂは、皿体７０の円周凹凸部７０ａと係合されており、ドラグノブ５５ａの回転操作に伴いクリック音が発生するようになっている。
【００３０】
上記した構成のスピニングリールによれば、シール部材５７によって、使用環境の厳しい釣場においても、スプール着脱装置１０への海水や異物、或いはヌメリ等の付着、侵入を確実に防止することができ、安定したスプールの着脱性能が得られるようになる。そして、シール部材５７は、装着部分が外表面に露出しないように、内側から係止部材５８によって抜け止め係止する構成としたため、シール部材を確実かつ容易に取り付けできると共に、安定した取り付け強度が得られる。なお、シール部材５７は、係止部材５８を用いることなく、接着等によって本体５５の裏面側に止着するように構成しても良い。
【００３１】
また、シール部材５７は、押しボタン１３の押圧操作部１３ａを覆う領域のみが露出するようになっており、スプール前面における露出部分が必要最小限に構成されているため、実用中、或いは移動中に、手の指や他物が不用意に当たって誤ってスプール３を脱外してしまうことが極力防止される。
【００３２】
さらに、上記した構成では、スプール３の前端側にドラグ装置５０を設け、このドラグ装置のドラグノブ５５ａをスプール軸上の螺合部１１ｂに螺合した状態で、ドラグノブ５５ａにシール部材５７を一体化して取着したため、制動力調節操作を行うドラグ装置の防水、防塵も図れると共に、製造段階の取扱いも容易になる。そして、シール部材５７が露出するのは、突出したドラグノブ５５ａの中央部分のみであることから、ドラグノブの操作中に誤ってスプールを脱外させてしまうことが極力防止される。
【００３３】
以上、本発明の実施形態について説明したが、本発明は、上記した構成に限定されることはなく、種々変形することが可能である。例えば、上記したシール部材５７は、スプールの内側に装着されて、スプール着脱装置の押しボタンの押圧操作部がシールできるように形成されていれば良く、その形状や取着方法については、種々変形することが可能である。
【００３４】
また、本発明は、各種形態のスピニングリールに適用することが可能である。例えば、上記した構成では、スプール着脱装置とドラグ装置を一体的にスプール前端部に組み込んだが、ドラグ装置をスプール前端部に設けない構成であっても良い。この場合、スプール軸４に回り止め固定される上記した筒軸１１は不要となる。
【図面の簡単な説明】
【００３５】
【図１】本発明に係る魚釣用スピニングリールの一実施形態を示す図。
【図２】スプール軸とスプールの装着状態を示す図。
【図３】スプールを前方から見た図。
【図４】図３のＡ−Ａ線に沿った断面図であり、ドラグ装置のドラグノブユニット体を示す図。
【図５】図４に示すドラグノブユニット体の分解図。
【図６】図３のＢ−Ｂ線に沿った断面図であり、ドラグ装置のドラグノブユニット体を示す図。
【図７】図６に示すドラグノブユニット体の分解図。
【図８】（ａ）及び（ｂ）を含み、押しボタンを押した際のスプール軸と筒軸との間の継脱関係を示す断面図。
【図９】シール部材の平面図。
【図１０】図９のＣ−Ｃ線に沿った断面図。
【図１１】図９のＤ−Ｄ線に沿った断面図。
【図１２】シール部材の構成を示す斜視図。
【図１３】シール部材の一部を切り欠いた斜視図。
【符号の説明】
【００３６】
１  リール本体
２  ロータ
２ａ  釣糸案内部
３  スプール
４  スプール軸
１０  スプール着脱装置
１３  押しボタン
５０  ドラグ装置（制動力調節装置）
５１  ドラグノブユニット体
５７  シール部材
５８  係止板（係止部材）
【図１】
0004484887.tif 000002
【図２】
0004484887.tif 000003
【図３】
0004484887.tif 000004
【図４】
0004484887.tif 000005
【図５】
0004484887.tif 000006
【図６】
0004484887.tif 000007
【図７】
0004484887.tif 000008
【図８】
0004484887.tif 000009
【図９】
0004484887.tif 000010
【図１０】
0004484887.tif 000011
【図１１】
0004484887.tif 000012
【図１２】
0004484887.tif 000013
【図１３】
0004484887.tif 000014